(57)【要約】【課題】  写真プリント装置を用いて、バッグを作成するための展開イメージをプリントする。【解決手段】  複数の側壁と底壁とで袋状となるバッグを形成するためのフォーマットデータを取得するフォーマットデータ取得手段３８Ｂと、このフォーマットデータに対して画像データを合成する合成処理手段３８Ｃとを備え、この画像データが合成されたフォーマットデータ取得手段をプリント部Ｂでプリントするように画像処理装置４を構成した。【選択図】        図４
2006227383.tif 000002
【特許請求の範囲】
【請求項１】
プリントデータをプリント媒体にプリントする写真プリント装置であって、
バッグを形成する複数の側壁と底壁との寸法の入力を許し、この入力に基づいて複数の側壁および底壁の寸法を設定する寸法設定手段と、
この寸法設定手段で設定された寸法に対応したバッグを形成するための展開図であるフォーマットデータを取得するフォーマットデータ取得手段と、
前記フォーマットデータの側壁の合成位置に対して、任意に選択した画像データを合成する合成処理手段と、
前記合成処理手段で画像データを合成した前記フォーマットデータをプリント媒体にプリントするプリント処理手段を備えている写真プリント装置。
【請求項２】
該写真プリント装置に使用するプリント媒体のサイズと、前記寸法設定手段に入力された寸法との比較により、前記複数の側壁と底壁とを展開した前記フォーマットデータのプリントが不能と判断した場合には、前記複数の側壁と底壁との一部を展開部分から分離した位置に配置したフォーマットデータを生成するように前記フォーマットデータ取得手段が構成されている請求項１記載の写真プリント装置。
【請求項３】
前記寸法設定手段に入力された寸法に基づき、前記合成位置に対する前記画像データの合成の可否を判断を行い、合成が不可能であると判断した場合には、前記合成位置の変更を行うように前記フォーマットデータ取得手段が構成されている請求項１又は２写真プリント装置。
【請求項４】
該写真プリント装置に使用するプリント媒体が設定された幅となる長尺のシート状の材料が用いられると共に、前記寸法設定手段は、前記側壁の縦方向の寸法を取得することにより、この縦方向の寸法を前記プリント媒体の幅方向に割り当て、このプリント媒体の幅方向の寸法から前記縦方向の寸法を減じた値を前記底壁を形成する寸法に設定するように処理形態が設定されている請求項１〜３のいずれか１項に記載の写真プリント装置。
【請求項５】
前記フォーマットデータ取得手段は、前記複数の側壁と底壁との境界部分で、前記バッグの作成時に折り曲げが必要となる折り曲げ部分にラインを生成する処理を行うように構成されている請求項１〜４のいずれか１項に記載の写真プリント装置。
【請求項６】
前記プリント媒体にメッセージカードをプリントするメッセージプリント手段を備えている請求項１〜５のいずれか１項に記載の写真プリント装置。
【請求項７】
前記フォーマットデータ取得手段は、前記プリント媒体にプリントされた前記側壁と前記底壁とから前記バッグを作り出すための説明文のプリントデータを取得するように構成されている請求項１〜６のいずれか１項に記載の写真プリント装置。
【発明の詳細な説明】
【技術分野】
【０００１】
本発明は、プリントデータをプリント媒体にプリントする写真プリント装置に関し、詳しくは、写真プリント装置でプリントされたプリントデータに基づいてバッグを作成する技術に関する。
【背景技術】
【０００２】
写真プリント装置に直接関係のない技術であるが、バッグを作成する技術として、特許文献１に記載されるものが存在する。この特許文献１では紙袋（本発明のバッグ）の手作り用キットが示され、このキットは横長の長方形状用紙と提げ紐とからなる。長方形状用紙には糊代部、側面部（本発明の側壁）、襠部、側面部（本発明の側壁）を区分けするために複数の折目線を設けている。このような構造を具備しているため、折目線に沿って長方形状用紙を折り曲げ、両面テープで糊代部を貼り付け、折り畳むことにより長方形状用紙から有底四角筒状の袋を形成し、紐通孔に手提げ紐を通して結び目を作ることにより紙袋が形成できる。
【０００３】
【特許文献１】特開２００２‐１７９０８８号公報（段落番号〔０００８〕〜〔００３６〕、図１〜図１５）
【発明の開示】
【発明が解決しようとする課題】
【０００４】
前述した特許文献１のように手作りキットとして提供されるものが存在するものの、紙製のバッグは紙等の素材に店名や製品名をプリントする必要があるため、大量生産される形態で提供されることが多く、少量生産には不向きであると考えられていた。
【０００５】
この種のバッグは広告媒体として利用されることが多いものであるが、比較的大きい素材（紙）に印刷を行う必要があるため、コストの面から考えても少量生産に不向きなものであった。しかしながら、この種のバッグは、商品のラッピングと同様に装飾性を備えるため、特定のデザインのプリントを施して、個人のパーティでパーティの出席者に手土産を配る際に使用することや、小規模の小売店の店名や広告をプリントして使用する有益性は認識されている。
【０００６】
この種のバッグの装飾性を考えると、バッグに形成されるプリントは多色（カラー）であることが望ましく、より細密なプリントであることが望まれる。因みに、細密なカラーのプリントを行うためには高性能な印刷機械を用いる必要からバッグの製造コストを高めるものとなり、製造にも時間が掛かるものであった。また、装飾性を考えると、この種のバッグは収容する商品や、用いる時期によってプリントの内容を変更する必要もある。
【０００７】
このように、必要とするデザインのプリントを施したバッグを少量生産する要望は従来からあったものの、コストが高まりやすく、また、作成に長時間を必要とする面で改善の余地があった。
【０００８】
本発明の目的は、必要とするデザインのバッグを少量生産し得る写真プリント装置を合理的に構成する点にある。
【課題を解決するための手段】
【０００９】
本発明の特徴は、プリントデータをプリント媒体にプリントする写真プリント装置において、
バッグを形成する複数の側壁と底壁との寸法の入力を許し、この入力に基づいて複数の側壁および底壁の寸法を設定する寸法設定手段と、
この寸法設定手段で設定された寸法に対応したバッグを形成するための展開図であるフォーマットデータを取得するフォーマットデータ取得手段と、
前記フォーマットデータの側壁の合成位置に対して、任意に選択した画像データを合成する合成処理手段と、
前記合成処理手段で画像データを合成した前記フォーマットデータをプリント媒体にプリントするプリント処理手段を備えている点にある。
【００１０】
この構成により、プリント媒体でバッグを作成する場合には、寸法設定手段によってフォーマットデータにおける複数の側壁および底壁の寸法を設定し、これらの寸法に対応するフォーマットデータをフォーマットデータ取得手段で取得し、合成処理手段によってフォーマットデータの側壁の合成位置に任意の画像データを合成し、このフォーマットデータをプリント処理手段がプリント媒体にプリントすることになる。つまり、フォーマットデータとして側壁の形状を選択することや、側壁に施された装飾を選択でき、複数の側壁と底壁の寸法を任意の値に設定でき、側壁に合成する画像データとして任意のものを選択でき、このように設定したフォーマットデータを印画紙等のプリント媒体にプリントできる。その結果、形状や大きさ、プリント内容を任意に決めることが可能で、カラーによる細密なプリントを施したバッグを少量でも、短時間のうちに作成し得る写真プリント装置が合理的に構成された。
【００１１】
本発明は、該写真プリント装置に使用するプリント媒体のサイズと、前記寸法設定手段に入力された寸法との比較により、前記複数の側壁と底壁とを展開した前記フォーマットデータのプリントが不能と判断した場合には、前記複数の側壁と底壁との一部を展開部分から分離した位置に配置したフォーマットデータを生成するように前記フォーマットデータ取得手段を構成しても良い。
【００１２】
この構成により、プリント媒体のサイズと入力された寸法との比較によって展開した状態で複数の側壁と底壁とのプリントが不能であると判断した場合には、複数の側壁又は底壁を分離したフォーマットデータと生成するので、プリント媒体のサイズに制限されずにバッグを形成できる。
【００１３】
本発明は、前記寸法設定手段に入力された寸法に基づき、前記合成位置に対する前記画像データの合成の可否を判断を行い、合成が不可能であると判断した場合には、前記合成位置の変更を行うように前記フォーマットデータ取得手段を構成しても良い。
【００１４】
この構成により、入力された寸法との比較により、合成位置に画像データの合成が不可能であると判断した場合には、合成位置を変更することにより、画像データの一部がプリント不能になる不都合を回避できる。
【００１５】
本発明は、該写真プリント装置に使用するプリント媒体が設定された幅となる長尺のシート状の材料が用いられると共に、前記寸法設定手段は、前記側壁の縦方向の寸法を取得することにより、この縦方向の寸法を前記プリント媒体の幅方向に割り当て、このプリント媒体の幅方向の寸法から前記縦方向の寸法を減じた値を前記底壁を形成する寸法に設定するように処理形態を設定しても良い。
【００１６】
この構成により、バッグの大きさを決める際に全ての寸法を入力しなくて済み、オペレータの手間を軽減できる。つまり、写真プリント装置でロールペーパ等の長尺のプリント媒体を使用し、寸法設定手段が側壁の縦方向の寸法を取得した場合に、この縦方向の寸法をプリント媒体の幅方向に割り当てることにより、プリント媒体の幅方向の寸法から縦方向の寸法を減じた結果の寸法が自ずと底壁を形成する寸法に設定されるものとなり、この底壁を形成するための寸法をオペレータが入力する手間を省けるのである。
【００１７】
本発明は、フォーマットデータ取得手段は、前記複数の側壁と底壁との境界部分で、前記バッグの作成時に折り曲げが必要となる折り曲げ部分にラインを生成する処理を行うように構成しても良い。
【００１８】
この構成により、プリントによって形成された折り曲げラインを折り曲げることによりバッグを形成でき、バッグと作り出す際の手間を軽減でき、バッグを作成する際に誤った作業を行うこともない。
【００１９】
本発明は、前記プリント媒体にメッセージカードをプリントするメッセージプリント手段を備えても良い。
【００２０】
この構成により、例えば、誕生パーティで土産類を配るために使用するバッグを形成する場合には、メッセージカードに感謝の言葉等をプリントし、バッグに添えて手渡すことも可能となり、メッセージカードを別途プリントするものと比較してオペレータの手間を軽減できる。
【００２１】
本発明は、前記フォーマットデータ取得手段が、前記プリント媒体にプリントされた前記側壁と前記底壁とから前記バッグを作り出すための説明文のプリントデータを取得するように構成しても良い。
【００２２】
この構成により、説明文をプリントすることが可能となり、この説明分に従って作業を行うことにより誤りなくバッグを形成できる。
【発明を実施するための最良の形態】
【００２３】
以下、本発明の実施形態を図面に基づいて説明する。
〔全体構成〕図１に示すように、現像済みの写真フィルムＦのコマ画像のデジタル信号化を行い、デジタル信号化された画像データの処理を行い、システム全体の基本的な制御を行うオペレート部Ａを備えると共に、プリント媒体としての銀塩式の印画紙Ｐに対して露光処理と現像処理とを行い、かつ、乾燥処理を行った後に送り出すプリント部Ｂとを備えることによりデジタルミニラボと称せられる写真プリント装置が構成されている。
【００２４】
〔オペレート部〕前記オペレート部Ａは、コンソール１に対して前記写真フィルムＦのコマ画像を光電変換によりデジタル信号化して画像データとして取り込むフィルムスキャナ２と、各種情報を表示するディスプレイ３と、画像処理とプリントに必要な各種処理とを行う汎用コンピュータで成る画像処理装置４とを配置している。コンソール１の上面には前記画像処理装置４に対して情報を入力するためキーボード５と、ポインティングデバイスとして機能するマウス６とを備えている。
【００２５】
前記画像処理装置４には、ＣＤやＭＯやＦＤ等のディスク型のメディアからの画像データを取得する、あるいは、半導体型のメディア（図示せず）からの画像データを取得するように夫々のメディアの構造に対応したメディアドライブ７を備えている。この画像処理装置４は、前記ディスプレイ３に表示に従って各種の処理を前記キーボード５やマウス６の操作により実現するインタフェースを具備している。更に、この画像処理装置４には前記フィルムスキャナ２、あるいは、前記メディアドライブ７で取り込まれた画像データをディスプレイ３に表示して補正処理、あるいは、加工処理を行うソフトウエア、印画紙Ｐを用いてバッグを作成するソフトウエア（処理形態は後述する）、及び、必要な処理情報を前記プリント部Ｂに伝送することによりプリント部Ｂでのプリント処理を実現するソフトウエアがインストールされている。
【００２６】
前記フィルムスキャナ２は、下部に発光ダイオードやハロゲンランプ等を有した光源部を配置し、中間部にズームレンズを配置し、上部にズームレンズからのコマ画像をＲ（赤）、Ｇ（緑）、Ｂ（青）３原色に色分解して取り込むラインＣＣＤ型の光電変換部を配置している。このフィルムスキャナ２では、写真フィルムＦのスキャニングを行う場合、その写真フィルムＦのサイズに適合したフィルムキャリア２Ａを光源部の上面に装着してスキャニングを開始することにより、写真フィルムＦを副走査方向（長手方向）に搬送する作動と同期して光電変換部において写真フィルムＦのコマ画像を主走査方向に沿ってデジタル信号化して取り込む処理が行われ、取り込まれた画像データは、前記画像処理装置４に転送され保存される。
【００２７】
〔プリント部〕前記プリント部Ｂは、図１及び図２に示すように、露光ブロックＥｘと、現像ブロックＤｅと、乾燥ブロックＤｒとを暗箱構造の筐体１０に収容して成ると共に、筐体１０の外部には、処理の後に筐体１０の上部から送り出される印画紙Ｐを水平方向に送る搬送ベルト１１を備え、この搬送ベルト１１から送られる印画紙Ｐをオーダ単位で仕分けて集積するよう複数のトレー１２を有したソータ１３を備え、更に、搬送ベルト１１の下方位置には大きいサイズの印画紙Ｐを受け止めるラック１４を備えている。
【００２８】
前記露光ブロックＥｘは、下部に２つの印画紙マガジンＭを配置すると共に、上部位置に露光ヘッドＨを配置している。この露光ブロックＥｘでは、印画紙マガジンＭ、Ｍの一方に収納したロール状のカラーの印画紙Ｐを圧着型のアドバンスローラ１６によって引き出し、カッターユニット１７でプリントサイズに切断し、この切断された印画紙Ｐの裏面側に印字ヘッド１８によって色補正情報等の情報をプリントし、この後、印画紙Ｐを挟持搬送するチャックユニット１９によって露光経路に送り込む制御が実行される。
【００２９】
前記露光経路では、前記チャックユニット１９からの印画紙Ｐを受取ローラ２０で受け取ると共に、この印画紙Ｐを一対の駆動ローラ２１と、これに対応する一対の従動ローラ２２とで圧着して上方（副走査方向）に搬送する。この搬送によって前記印画紙Ｐが露光位置に達すると前記露光ヘッドＨからのレーザビームで主走査方向に沿って露光が行われる。そして、この露光を終えた印画紙Ｐは、複数の圧着ローラ２３を備えた前搬送経路において搬送方向が水平方向に変換される。この後に水平方向に搬送される印画紙Ｐは２つのチャッカー２４を備えた振り分け経路において２列の振り分け経路に振り分けられ、更に、複数の圧着ローラ２５を備えた後搬送経路から前記現像ブロックＤｅの圧着型の導入ローラ２６に受け渡される。
【００３０】
前記現像ブロックＤｅは、発色現像槽と漂白定着槽と安定槽とで成る複数の処理槽を一体形成した現像処理槽２７を備えると共に、夫々の現像処理槽に印画紙Ｐを供給する搬送機構２８を備えており、前記露光ブロックＥｘから供給された印画紙Ｐの現像処理を、前記複数の処理槽において行う。前記乾燥ブロックＤｒは、現像ブロックＤｅから送り出された印画紙Ｐに対してブロワ２９からの乾燥空気を供給して乾燥を行う。
【００３１】
本発明の写真プリント装置は、印画紙Ｐを用いて図３及び図１１に示す構造のバッグを作成できる機能（バッグを作成するソフトウエア）を備えた点にある。
【００３２】
つまり、本発明の写真プリント装置では、例えば、図９に示すように、バッグを展開した形態となるプリントデータを生成して印画紙Ｐにプリントする。このようにプリントされたプリント物に切り込みを行い、不必要な部分を取り除き、折り曲げ等の作業を行うことによってバッグが完成する。完成状態のバッグは一対の主側壁Ｘと、一対の副側壁Ｙと１つの底壁Ｚとを有しており、組立時には、主側壁Ｘに穿設した孔部１００に提げ紐１０１を挿通し、この提げ紐１０１の端部に形成した結び目１０１Ａで抜け止めを行う。
【００３３】
このバッグの作成時には、全体的に統一された色相を指定することや、一対の主側壁Ｘと一対の副側壁Ｙとに任意に選択した複数の画像データをプリントできる。
【００３４】
更に、このバッグの作成時には、２種類のメッセージカード１０２、１０３を作成できる。夫々のメッセージカード１０２、１０３には個人の名前等をプリントすることが可能である。一方のメッセージカード１０２はバッグの引き換えや個人の識別に使用され、他方のメッセージカード１０３は、その孔部１０３に前記提げ紐１０１を挿通することによりバッグに添附され、個人等を識別するために使用する、あるいは、手渡す相手に対するメッセージをプリントした形態で使用される。特に、夫々のメッセージカード１０２、１０３は、プリント面を外面にする形態で折り畳み、例えば両面テープで接着した状態で使用する。
【００３５】
〔制御構成〕
図４に示すように、前記画像処理装置４は、マイクロプロセッサ（ＣＰＵ）を備えると共に、このマイクロプロセッサ（ＣＰＵ）に対して情報の入出力を行う入出力インタフェース３１（Ｉ／Ｏ）を備えている。この入出力インタフェース３１に対して前記フィルムスキャナ２、ディスプレイ３、キーボード５、マウス６、メディアドライブ７夫々に対する情報の入出力系を形成し、ハードディスクＨＤ、及び、通信インタフェース３２に対する情報の入出力系を形成している。また、前記通信インタフェース３２は情報の伝送を行えるように前記プリント部Ｂと接続している。
【００３６】
前記マイクロプロセッサＣＰＵのデータバスに対して半導体体メモリ３３、オペレーティングシステム３４、画像データ取得手段３５、画像データ補正手段３６、プリント処理手段３７、バッグ作成部３８夫々の間において情報を入出力する系を形成している。
【００３７】
これらオペレーティングシステム３４、画像データ取得手段３５、画像データ補正手段３６、プリント処理手段３７、バッグ作成部３８は、半導体メモリ（例えば、ＲＡＭ）に展開されたプログラムを想定しているが、ロジック等のハードウエアと組み合わせて構成しても良い。また、この画像処理装置４では、制御を実現するために前記データバスの他にコントロールバスやアドレスバス等を必要とするものであるが、複雑化を避けるために図面にコントロールバスやアドレスバス、インタフェース類を示していない。
【００３８】
前記オペレーティングシステム３４は、この画像処理装置４にインストールされているソフトウエアを管理すると共に、処理に必要な情報をディスプレイ３に表示し、ディスプレイ３に表示されたカーソル等を介して必要とする処理を実現するＧＵＩ（Graphical User Interface）型に構成されている。
【００３９】
前記画像データ取得手段３５は、前記フィルムスキャナ２あるいはメディアドライブ７を介して画像データを取得し、取得した画像データを前記半導体メモリ３３あるいはハードディスクＨＤに保存する。
【００４０】
前記画像データ補正手段３６は、前記画像データの色補正やコントラストの補正等の補正を行う。この画像データ補正手段３６での補正は、プレジャッジ画面（図示せず）において画像データを指定して実行することも可能である。
【００４１】
前記プリント処理手段３７は、プレジャッジ画面を前記ディスプレイ３に表示し、このプレジャッジ画面に対して前記画像データ取得手段３５で取得した画像データをサムネイル形式で表示し、このプレジャッジ画面においてプリント対象とする画像データの設定と、プリントサイズの設定と、プリント枚数の設定とを行う。このように取得したオーダデータと画像データとを前記プリント部Ｂに伝送してオーダのプリント処理を実現する。
【００４２】
また、このプリント処理手段３７は、前記バッグ作成部３８での処理によって生成したバッグ作成用の画像データ（構造データ）を前記プリント部Ｂに伝送してバッグを作成するに必要なプリント処理を実現する。バッグを作成する場合には、前記ディスプレイ３に表示されたプリント初期画面（図示せず）において、例えば、エディットモードを選択する等の設定することになる。バッグを作成するために必要な設定は後述するバッグ作成画面４０において行えるものであるが、例えば、バッグの一対の主側壁Ｘと一対の副側壁Ｙとの４つの側壁を独立して編集することや、４つ全てを同時に編集すること等を専用の画面（図示せず）において予め設定するように処理形態を設定しても良い。
【００４３】
〔バッグの作成〕
前記バッグ作成部３８は、寸法設定手段３８Ａと、フォーマットデータ取得手段３８Ｂと、合成処理手段３８Ｃと、メッセージプリント手段３８Ｄとで構成されている。このバッグ作成部３８は図６に示すバッグ作成画面４０をディスプレイ３に表示し、寸法設定手段３８Ａがオペレータに対してバッグ各部の寸法の入力を求め、フォーマットデータ取得手段３８Ｂが複数の側壁と底壁とを含むバッグを形成するための展開図であるフォーマットデータを取得する。前記合成処理手段３８Ｃは図８に示す画像合成画面７０をディスプレイ３に表示し、オペレータに対してバッグの側壁にプリントすべき装飾と画像データとの選択を求める。前記メッセージプリント手段３８Ｄは図７に示すメッセージカード画面６０をディスプレイ３に表示し、メッセージカード１０２、１０３の選択とメッセージカード１０２、１０３にプリントするメッセージの編集を実現する。
【００４４】
具体的に説明すると、図５のフローチャートに示すように、バッグを作成する際には所定の操作を行うことにより前記バッグ作成画面４０がディスプレイ３に表示される（＃０１ステップ）。このバッグ作成画面４０において前記入力部４１に対して作成するバッグの寸法を入力することにより前記完成イメージ表示部４２に完成したバッグの形状が立体的に表示される（＃０２、＃０３ステップ）。
【００４５】
前記バッグ作成画面４０には、縦・横・幅夫々の寸法の入力部４１と、完成イメージを立体的に表示する完成イメージ表示部４２と、バッグのテンプレートを表示するテンプレート表示部４３と、このテンプレート表示部４３に表示されるテンプレートを変更するスクロールバー４４と、メッセージカードの作成有無を確認するチェック部４５と、テンプレートが選択された際に操作される次へボタン４６と、印画紙Ｐに展開されたバッグを表示するフォーマットデータ表示部４７と、画像合成ボタン４８と、プリント部数入力部４９と、戻るボタン５０と、ＯＫボタン５１とが形成されている。
【００４６】
このバッグ作成画面４０においてバッグ各部の寸法の入力があった場合には、前記フォーマットデータ取得手段３８Ｂが、入力された寸法に基づいてバッグを作成するに必要とする一対の主側壁Ｘと一対の副側壁Ｙと底壁Ｚと有した展開図となるフォーマットデータを生成し、このフォーマットデータの主側壁Ｘと副側壁Ｙとの部位にテンプレートを嵌め込み、更に、テンプレートに対して嵌め込む画像データの選択があった場合には、前記合成処理手段３８Ｃが、これらをフォーマットデータとして合成（取得）する（厳密にはテンプレートに合成する）処理を行うのである（＃０４ステップ）。
【００４７】
また、テンプレートを選択する場合には、スクロールバー４４を操作することによりテンプレート表示部４３に複数種のテンプレートが表示され、テンプレート表示部４３に表示されたものの中から必要とするものを選択できる。尚、前記テンプレートは、前記テンプレート表示部４３に示すように、主側壁Ｘと副側壁Ｙとに対応した部位にプリントすべき装飾データ領域と、任意に設定した画像データを嵌め込む矩形の画像領域とを有し、このテンプレートは前記寸法設定手段３８Ａで設定される寸法に基づいて主側壁Ｘと副側壁Ｙに適合したサイズに拡大又は縮小される。
【００４８】
本発明は、フォーマットデータに対して直接的に画像データを嵌め込むように合成処理形態を設定するものであっても良いが、テンプレートを用いる場合、一対の主側壁Ｘと、一対の副側壁Ｙとの４つの側壁の編集を独立して行えるよう、この４つの側壁に対応して４種のテンプレートを用いるよう処理形態を設定しても良い。また、このような編集形態と、前述した編集形態とをモードの切り換えで選択できるように処理形態を設定しても良い。
【００４９】
次に、メッセージカード１０２、１０２のプリントの有無をチェック部４５で設定し、次へボタン４６を操作することにより、バッグを印画紙Ｐにプリントする際の形態となるフォーマットデータがフォーマットデータ表示部４７に表示される。また、次へボタン４６を操作した際に、前記チェック部４５においてメッセージカードをプリントする処理が選択されている場合には、図７に示すメッセージカード画面６０をディスプレイ３に表示して必要なデータを取得する（＃０３、＃０６ステップ）。
【００５０】
前記メッセージカード画面６０には、メッセージカード表示部６１と、このメッセージカード表示部６１に表示されるメッセージカード（メッセージカード専用のテンプレートデータ）を切り換える前へボタン６２、及び、次へボタン６３と、メッセージカードの編集を行う編集ボタン６４と、戻るボタン６５と、ＯＫボタン６６とが形成されている。
【００５１】
このメッセージカード画面６０では前へボタン６２、又は、次へボタン６３の操作によってメッセージカード表示部６１に対してプリントすべきメッセージカード（メッセージカード専用のテンプレートデータ）を表示し、編集ボタン６４を操作して文字入力用の編集画面（図示せず）を表示し、この編集画面においてメッセージカードに表記すべき個人名等の入力を行い、ＯＫボタン６６を操作することにより必要な処理は完了する。処理形態は示さないが、バッグのプリント部数（作成部数）が複数である場合には、そのプリント部数に等しい数だけ異なる個人名やメッセージ等を表記したメッセージカードをプリントすることが可能である。
【００５２】
前記＃０６ステップに示すように、このタイミングでは前記フォーマットデータ表示部４７に対してフォーマットデータ（画像データが合成されていないフォーマットデータ：展開図）が表示されている（フォーマットデータ取得手段３８Ｂでの処理）。
【００５３】
前記バッグの前記底壁Ｚは、印画紙Ｐの折り曲げによって形成されるよう初期設定されている。前記各部の寸法に基づいてフォーマットデータを生成する場合、バッグ作成画面４０の入力部４１に対して、バッグの縦寸法Ｖ、横寸法Ｌ、幅寸法Ｗ夫々の各部の寸法を入力することにより、図９に示すように、この横寸法Ｌ、幅寸法Ｗが各部に割り当てられると共に、バッグの上端に位置する部位には折り返しのための寸法Ｓが作り出され、幅寸法Ｗに基づいて底壁Ｚを形成するために充分となる寸法Ｔが作り出され、主側壁Ｘと副側壁Ｙとを貼り合わせるためのノリシロとしての寸法Ｕが作り出される。
【００５４】
つまり、図３及び図１１に示したバッグのように一対の主側壁Ｘと一対の副側壁Ｙと一つの底壁Ｚとを備えたものでは、夫々の壁面における各辺の寸法の入力を行い、ノリシロのための寸法Ｕ、Ｔと、折り返しのための寸法Ｓとの入力を行う必要がある。しかしながら、ノリシロのための寸法Ｕは幅寸法Ｗと比例する値や、予め定まった値で良いので、この寸法Ｕを自動的に設定している。ノリシロのための寸法Ｔは幅寸法Ｗの１／２より充分に大きく、幅寸法Ｗより小さい値であれば良いので、前記寸法設定手段３８Ａが、この寸法Ｔを自動的に設定している。折り返しのための寸法Ｓはバッグの開口部の手触りを良くし、開口部の強度を高めるものであるが、大型のバッグを作成する場合でも、この折り返しのための寸法Ｓは数ｃｍもあれば充分であるので、予め設定された値や縦寸法Ｖに比例した値を自動的に設定している。
【００５５】
また、図９に示すように、横寸法Ｌ、幅寸法Ｗは２箇所の部位に設定する必要があるものものであるが、バッグを構成する夫々の壁面が矩形で一対の主側壁Ｘ同士が同じ形状となり、一対の副側壁Ｙが同じ形状となり、主側壁Ｘの一部の寸法と、副側壁Ｙの一部の寸法とが底壁Ｚの寸法と共通するので、必須となる寸法として、縦寸法Ｖ、横寸法Ｌ、幅寸法Ｗ夫々の各部の寸法を入力することにより、複数の壁面の各部に割り当てられる寸法も自動的に生成している。
【００５６】
また、同図において、破線で示したライン１０５が折り曲げ部位であり、実線で示したライン１０６が切り込み部位である。これらのラインは主側壁Ｘと副側壁Ｙとの境界や主側壁Ｘ・副側壁Ｙと底壁Ｚとの境界部分等、折り曲げに必要な部位に形成されるものであり、フォーマットデータ取得手段３８Ｂが生成する。また、同図においてハッチングを示した部位は取り除かれる領域である。因みに、縦寸法Ｖ、横寸法Ｌ、幅寸法Ｗ夫々の各部の寸法から必要とされる印画紙Ｐの幅が決まるものであるが、印画紙Ｐの幅が充分に大き場合には、余分の印画紙Ｐは切断して取り除かれる。
【００５７】
前記寸法Ｕによって作り出された領域がノリシロ１０７として機能し、底壁Ｚに対応する部位において「のりしろ」として示した領域がノリシロ１０７として機能する。この「のりしろ」の文字がバッグを作り出す説明文となる。尚、説明文としては、各部の折り曲げ順序や、作業形態を示す文言であっても良く、この説明分はフォーマットデータ取得手段３８Ｂが生成する。
【００５８】
また、フォーマットデータを生成する場合、幅寸法Ｗが大きい比較的大きい場合のように、前記印画紙Ｐの幅内にバッグを展開したフォーマットデータを形成できない場合には、図１０に示すように、底壁Ｚに対応する底壁補助体１０８を分離した形態となるようレイアウトを形成する処理が行われる（フォーマットデータ取得手段３８Ｂでの処理）。つまり、幅寸法Ｗが大きい場合には、底壁Ｚを形成するための寸法Ｔも大きい値に設定する必要があるが、前記寸法Ｓと前記縦寸法Ｖと寸法Ｔとを足し併せた寸法が印画紙Ｐの幅より大きくなることもある。このような場合には、寸法Ｔの値を大きくできないので、前記底壁補助体１０８を別途形成するのである。
【００５９】
前記テンプレートは、図８に示すように基本となる統一された色相で装飾が施された前記装飾データ領域に画像データを嵌め込む前記画像領域（ａ）〜（ｈ）が予め設定された位置関係で配置されている。このテンプレートは、前述した通り前記縦寸法Ｖ、横寸法Ｌ、幅寸法Ｗに対応して前記装飾領域のサイズ、及び、前記画像領域のサイズを主側壁Ｘと副側壁Ｙに適合したサイズとなるようにフレキシブルに変更できるものである。
【００６０】
しかしながら、前記縦寸法Ｖ、横寸法Ｌ、幅寸法Ｗに基づいて画像領域（ａ）〜（ｈ）のサイズを変更するものでは、各部の寸法が小さい場合に画像領域（ａ）〜（ｈ）に表示される画像データのサイズが小さくなり過ぎ、夫々の画像領域（ａ）〜（ｈ）に対して画像データを合成できない場合もある。具体的に説明すると、例えば、幅寸法Ｗが小さい値に設定された場合には、画像領域（ａ）、（ｂ）の幅が小さくなり、夫々の画像領域（ａ）、（ｂ）に画像データを合成できず、幅寸法Ｗが小さい値に設定された場合には、画像領域（ｃ）〜（ｈ）が小さくなり夫々の画像領域（ｃ）〜（ｈ）に画像データを合成できないことになる。
【００６１】
このような場合には、画像領域（ａ）〜（ｈ）のサイズを予め設定されたサイズより小さくせず、夫々の画像領域（ａ）〜（ｈ）同士の間隔を小さくするようにレイアウトを変更することや、夫々の画像領域（ａ）〜（ｈ）の一部が重なり合うことを許すようにレイアウトを変更するように、レイアウトのルールを設定している（合成処理手段３８Ｃでの処理）。
【００６２】
前述のようにフォーマットデータを取得した後には、バッグ作成画面４０の画像合成ボタン４８を操作することにより、図８に示す画像合成画面７０が表示される。この画像合成画面７０には、取得したテンプレートを表示するテンプレート表示部７１と、画像データを指定する画像指定部７２と、画像データをサムネイル形式で一覧化して表示する画像データ表示部７３と、この画像データ表示部７３に表示される画像データをスクロールするスクロールバー７４と、テンプレート表示部７１に画像データを合成する合成ボタン７５と、合成を取り消す取消ボタン７６と、戻るボタン７７と、ＯＫボタン７８とが形成されている。
【００６３】
この画像合成画面７０では、画像指定部７２で合成すべき画像データファイル等を指定して画像データ表示部７３に一覧化して表示する。この表示状態で、テンプレート表示部７１の画像領域（ａ）〜（ｈ）の何れかを（複数でも良い）選択した状態で、画像データ表示部７３に表示された画像データのうち合成すべき画像データを１つ選択し、合成ボタン７５を操作することにより、その画像データを指定した画像領域に嵌め込む形態で合成処理（編集処理）が行われ、テンプレート表示部７１において視覚的にも確認できる（合成処理手段３８Ｃによる処理）。
【００６４】
この処理を全ての画像領域（ａ）〜（ｈ）に対して行った後に、ＯＫボタン７８を操作することによって合成処理が完了し、前記バッグ作成画面４０の前記フォーマットデータ表示部４７に画像領域に画像データを合成したテンプレートが嵌め込まれたフォーマットデータが表示される（＃０７、＃０８ステップ）。
【００６５】
この後、画像領域に画像データを合成したテンプレートが嵌め込まれたフォーマットデータをプリントデータに設定する。この後、ＯＫボタン５１を操作することで、プリントデータと前記プリント部数入力部４９に入力されたプリント部数データとが前記プリント部Ｂに伝送され、このプリント部Ｂにおいてプリント処理が実行される（＃０８〜＃１０ステップ）。
【００６６】
この一連の処理において、フォーマットデータとテンプレートのサイズをバッグ各部の寸法に基づいて設定されるサイズを想定しているが、フォーマットデータとテンプレートのデータとして比較的大きいサイズのフォーマットデータを準備しておき、プリント処理を行う際に、バッグ各部の寸法に基づいてフォーマットデータを変換することにより、必要とするサイズとなるプリントデータを生成するように処理形態を設定しても良い。
【００６７】
このプリント処理が行われることにより、例えば、図９に示すように、バッグを展開した形態のプリント物が作り出される。このプリント物のライン１０６に対してカッターや鋏で切り込みを作り、図１１（ａ）〜（ｄ）に示すように、ライン１０５で折り曲げ、両面テープや接着剤を用いて主側壁Ｘと副側壁Ｙとをノシリロ１０７の部位で接着を行うことにより、筒状物を作り、底壁Ｚを折り曲げ、ノリシロ１０７の部位で接着を行うことにより図３に示すバッグの本体部分が仕上がる。次に、開口部の折り返し部分を折り返して接着によって固定し、この折り返し部分に孔部１００を穿設し、この孔部１００に提げ紐１０１を通し、必要な場合にはメッセージカード１０３を備えることによりバッグが完成するのである。
【００６８】
このように、本発明によると、バッグ作成画面４０に対して寸法を入力することにより、必要とする大きさのバッグを作成できる。また、印画紙Ｐに対するカラープリントにより細密な装飾や画像データをプリントできる。つまり、バッグの作成時には縦・横・高さに対応する寸法を設定する程度の操作で、他の部位の寸法を入力する必要がないので手間が掛からず、側壁にプリントすべき内容として個人がデジタルカメラ（銀塩式のカメラでも良い）で撮影した画像データを使用できるので、既製のバッグと比較して、オリジナル性を発揮した特徴的な装飾のバッグを少量でも作成できる。
【００６９】
バッグを展開した形態となるフォーマットデータは予め設定されたものであるが、使用する印画紙Ｐの幅から、予め設定された展開となるフォーマットデータを使用できない場合には、自動的な処理によって展開形態を変更するので、印画紙Ｐの幅に制限されることなくバッグを作成することが可能となる。また、テンプレートを用いてバッグの側壁の装飾と、画像データを嵌め込む形態での合成を行うので、テンプレートの選択によって多様な装飾を実現している。
【００７０】
しかも、テンプレートにおいて画像データを嵌め込む画像領域（ａ）〜（ｈ）の下限を決めているので、バッグにプリントされる画像データが設定されたサイズより小さくなる不都合を阻止する。
【００７１】
また、プリント物を加工してバッグを作成する場合には、ライン１０５とライン１０６とのラインの形態の違いから、折り曲げのラインであるか、切り込みのためのラインであるかを容易に判別でき、また、ノリシロ１０７にプリントされた「のりしろ」の文字から、この部位を接着することを認識できるので誤りのないプリントを実現する。
【００７２】
特に、複数のバッグを作成する場合でも、異なる名前やメッセージとなるメッセージカード１０２、１０３を作成できるので、例えば、パーティにおいて出席者に手土産を配る場合でも、メッセージプリントに複数の出席者の名前をプリントし、間違いなく配ることを可能にするのである。
【００７３】
〔別実施形態〕
本発明は、上記した実施の形態以外に以下のように構成しても良い。
【００７４】
（ａ）バッグの側壁にプリントする装飾をオペレータが自由に編集できるようにする。その１つの手段として、画像データを嵌め込んだ後のテンプレートの部位を加工することや、画像データを嵌め込んだ状態の画像データ全体を加工できるようにする。
【００７５】
（ｂ）バッグを作成する手順をイラストや、組立順序を文章等で示した作成案内を、展開したバッグのプリント時にプリントする。このように作成案内をプリントすることにより一層間違いなくバッグを組み立てることができる。
【００７６】
（ｃ）バッグの主側壁Ｘと副側壁Ｙとで異なるテンプレートを用いるように処理形態を設定する。このように処理形態を設定することにより、多様な装飾を得ることが可能となる。
【００７７】
（ｄ）平面視で六角形や八角形となるバッグを作成できるように処理形態を設定する（テンプレートを準備する）。
【００７８】
（ｅ）フォーマットデータ取得手段でのフォーマットデータ取得の後に、寸法設定手段が、バッグを形成する複数の側壁と底壁との寸法を取得するように処理順序を設定する。
【００７９】
（ｆ）テンプレートを使用せずに、フォーマットデータに対して直接画像データを嵌め込む形態で合成するように処理形態を設定しても良い。
【００８０】
（ｇ）実施の形態に示した写真プリント装置のようにプリント媒体としてロール状の印画紙Ｐを用いるものでは、寸法設定手段４８Ａとして、側壁の縦寸法Ｖを印画紙Ｐの幅方向に割り当て、この印画紙Ｐの幅方向での寸法から縦寸法Ｖを減じた値を底壁Ｚを形成する寸法Ｔに設定するように処理形態を設定できる。このように寸法設定手段４８Ａの処理形態を設定することにより、オペレータが寸法Ｔを入力する必要がなく、寸法を入力する手間を省けるものとなる。特に、寸法設定手段４８Ａとして、底壁Ｚを形成するための寸法Ｔを設定した後に、この寸法Ｔから前記幅寸法Ｗを自動的に生成するように処理形態を設定することも可能であり、このように処理形態を設定した場合には、オペレータが寸法を入力する手間を一層低減できるものとなる。
【産業上の利用可能性】
【００８１】
印画紙を用いない、例えばインクジェット型や昇華型の写真プリント装置を使用することにより、様々な材質を用いたバッグの作成を可能にする。
【図面の簡単な説明】
【００８２】
【図１】写真プリント装置の斜視図
【図２】プリント部の縦断正面図
【図３】バッグの一部切り欠き状態と完成状態との斜視図斜視図
【図４】画像処理装置のブロック回路図
【図５】バッグ作成ルーチンのフローチャート
【図６】バッグ作成画面を示す図
【図７】メッセージカード画面を示す図
【図８】画像合成画面を示す図
【図９】展開状態のバッグを示す図
【図１０】異なる形態の展開状態のバッグを示す図
【図１１】バッグの組立工程を連続的に示す斜視図
【符号の説明】
【００８３】
３８Ａ        寸法設定手段
３８Ｂ        フォーマットデータ取得手段
３８Ｃ        合成処理手段
３８Ｄ        メッセージプリント手段
Ｂ            プリント処理手段：プリント部
Ｘ、Ｙ        側壁
Ｚ            底壁
【図１】
2006227383.tif 000003
【図２】
2006227383.tif 000004
【図３】
2006227383.tif 000005
【図４】
2006227383.tif 000006
【図５】
2006227383.tif 000007
【図６】
2006227383.tif 000008
【図７】
2006227383.tif 000009
【図８】
2006227383.tif 000010
【図９】
2006227383.tif 000011
【図１０】
2006227383.tif 000012
【図１１】
2006227383.tif 000013